【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
光電変換部と画素出力部とを各々が有する複数の画素を有する光電変換装置において、
前記光電変換部は、第１の電極と、第２の電極と、前記第１の電極および前記第２の電極の間に配された、信号電荷を蓄積する光電変換層と、前記光電変換層および前記第２の電極の間に配された絶縁層と、を含み、
前記画素出力部は、前記光電変換部が蓄積した前記信号電荷に基づく光信号が前記第２の電極から出力される入力ノードを備え、
前記複数の画素の一部の画素の前記第１の電極と前記第２の電極との電位の大小関係が、前記第１の電極の方が前記第２の電極よりも小さい第１の関係から前記第１の関係とは逆の関係である第２の関係に変化するタイミングと、前記複数の画素の他の一部の画素の前記第１の電極と前記第２の電極との電位の大小関係が、前記第２の関係から前記第１の関係に変化するタイミングとを重ねる駆動部をさらに有することを特徴とする光電変換装置。
【請求項２】
前記駆動部は、前記一部の画素の前記入力ノードのリセットを終了するタイミングと、前記他の一部の画素の前記入力ノードのリセットを開始するタイミングとを重ねることを特徴とする請求項１に記載の光電変換装置。
【請求項３】
前記駆動部は、前記一部の画素の前記入力ノードのリセットを行っている期間に、前記一部の画素の前記画素出力部を動作状態とするとともに、前記他の一部の画素の前記画素出力部を非動作状態とし、前記他の一部の画素の前記入力ノードのリセットを行っている期間に、前記他の一部の画素の前記画素出力部を動作状態とするとともに、前記一部の画素の前記画素出力部を非動作状態とすることを特徴とする請求項１または２に記載の光電変換装置。
【請求項４】
前記画素は電流源をさらに有し、
前記画素出力部と前記電流源とでソースフォロワ回路を構成することを特徴とする請求項１〜３のいずれかに記載の光電変換装置。
【請求項５】
前記光電変換装置はさらに前記複数の画素が電気的に接続された信号線を有し、
前記複数の画素の各々は、前記入力ノードの電位に基づいて前記画素出力部が出力する信号を保持する信号保持部と、前記信号保持部が保持した前記信号を前記信号線に出力する第２画素出力部とをさらに有することを特徴とする請求項１〜４のいずれかに記載の光電変換装置。
【請求項６】
前記光電変換装置は、前記信号線に電流を供給する第２電流源をさらに有し、
前記第２画素出力部と、第２電流源とでソースフォロワ回路を構成することを特徴とする請求項５に記載の光電変換装置。
【請求項７】
前記複数の画素の各々は、前記画素出力部が出力するノイズ信号と前記光信号とを保持する信号保持部をさらに有し、
前記信号保持部はさらに前記ノイズ信号を保持する容量素子を有することを特徴とする請求項１〜６のいずれかに記載の光電変換装置。
【請求項８】
前記光電変換層が量子ドットを含むことを特徴とする請求項１〜７のいずれかに記載の光電変換装置。
【請求項９】
請求項１〜８のいずれかに記載の光電変換装置と、前記光電変換装置が出力する信号を処理する出力信号処理部とを有することを特徴とする光電変換システム。
【請求項１０】
光電変換部と画素出力部とを各々が有する複数の画素を有し、
前記光電変換部は、第１の電極と、第２の電極と、前記第１の電極および前記第２の電極の間に配された、信号電荷を蓄積する光電変換層と、前記光電変換層および前記第２の電極の間に配された絶縁層と、を含む光電変換装置の駆動方法であって、
前記画素出力部の入力ノードに、前記光電変換部が蓄積した前記信号電荷に基づく光信号を前記第２の電極から出力する第１ステップと、
前記複数の画素の一部の画素の前記第１の電極と前記第２の電極との電位の大小関係を、前記第１の電極の方が前記第２の電極よりも小さい第１の関係から前記第１の関係とは逆の関係である第２の関係に変化させる第２ステップと、
前記複数の画素の他の一部の画素の前記第１の電極と前記第２の電極との電位の大小関係を、前記第２の関係から前記第１の関係に変化させる第３ステップとを有し、
前記第２ステップを行う期間と前記第３ステップを行う期間とを重ねることを特徴とする光電変換装置の駆動方法。
【請求項１１】
前記一部の画素の前記入力ノードのリセットを終了する第４ステップと、
前記他の一部の画素の前記入力ノードのリセットを開始する第５ステップとを有し、
前記第４ステップを行う期間と前記第５ステップを行う期間とを重ねることを特徴とする請求項１０に記載の光電変換装置の駆動方法。
【請求項１２】
前記一部の画素の前記入力ノードのリセットを行っている期間に、前記一部の画素の前記画素出力部を動作状態とするステップと、
前記他の一部の画素の前記画素出力部を非動作状態とし、前記他の一部の画素の前記入力ノードのリセットを行っている期間に、前記他の一部の画素の前記画素出力部を動作状態とするとともに、前記一部の画素の前記画素出力部を非動作状態とするステップとをさらに有することを特徴とする請求項１０または１１に記載の光電変換装置の駆動方法。
【請求項１３】
前記光電変換層が量子ドットを含むことを特徴とする請求項１０〜１２のいずれかに記載の光電変換装置の駆動方法。
【手続補正２】
【補正対象書類名】明細書
【補正対象項目名】０００６
【補正方法】変更
【補正の内容】
【０００６】
本発明の一の態様は、光電変換部と画素出力部とを各々が有する複数の画素を有する光電変換装置において、前記光電変換部は、第１の電極と、第２の電極と、前記第１の電極および前記第２の電極の間に配された、信号電荷を蓄積する光電変換層と、前記光電変換層および前記第２の電極の間に配された絶縁層と、を含み、前記画素出力部は、前記光電変換部が蓄積した前記信号電荷に基づく光信号が前記第２の電極から出力される入力ノードを備え、前記複数の画素の一部の画素の前記第１の電極と前記第２の電極との電位の大小関係が、前記第１の電極の方が前記第２の電極よりも小さい第１の関係から前記第１の関係とは逆の関係である第２の関係に変化するタイミングと、前記複数の画素の他の一部の画素の前記第１の電極と前記第２の電極との電位の大小関係が、前記第２の関係から前記第１の関係に変化するタイミングとを重ねる駆動部をさらに有することを特徴とする光電変換装置である。
【手続補正３】
【補正対象書類名】明細書
【補正対象項目名】０００７
【補正方法】変更
【補正の内容】
【０００７】
また、別の態様は、光電変換部と画素出力部とを各々が有する複数の画素を有し、前記光電変換部は、第１の電極と、第２の電極と、前記第１の電極および前記第２の電極の間に配された、信号電荷を蓄積する光電変換層と、前記光電変換層および前記第２の電極の間に配された絶縁層と、を含む光電変換装置の駆動方法であって、前記画素出力部の入力ノードに、前記光電変換部が蓄積した前記信号電荷に基づく光信号を前記第２の電極から出力する第１ステップと、前記複数の画素の一部の画素の前記第１の電極と前記第２の電極との電位の大小関係を、前記第１の電極の方が前記第２の電極よりも小さい第１の関係から前記第１の関係とは逆の関係である第２の関係に変化させる第２ステップと、前記複数の画素の他の一部の画素の前記第１の電極と前記第２の電極との電位の大小関係を、前記第２の関係から前記第１の関係に変化させる第３ステップとを有し、前記第２ステップを行う期間と前記第３ステップを行う期間とを重ねることを特徴とする光電変換装置の駆動方法である。